(57)【要約】【課題】室内空気中に浮遊する粉塵の粒径および臭気に適した運転を制御することにより効率的に室内空気を浄化することを目的とする。【解決手段】本体１に室内空気を吸気する吸込口２と、この吸込口２に設けた開閉可能な吸込蓋部９と、清浄された空気を室内に吹出すための吹出口５と、この吹出口５に設けた角度調整可能な吹出ルーバー６と、吸引した空気中の粉塵の粒径を検出する埃センサー７と、ガス濃度を検出するガスセンサー１０とを備え、吹出ルーバー６の角度および吸込蓋部９の開閉を粉塵の粒径および臭気の有無に応じて気流を制御することで、粉塵の大きさや臭気の混在に対応した室内の循環気流を形成して、効率よく本体１の吸込口２に案内することにより、室内をよどみなく浄化できる空気清浄機が得られる。【選択図】図１
2008194603.tif 000002
【特許請求の範囲】
【請求項１】
室内空気を吸気する吸込口と、この吸込口から吸気した空気を清浄化する清浄化手段と、この清浄化手段に通風する送風手段と、本体天面に設けた清浄された空気を室内に吹出すための吹出口と、この吹出口に設けた仰角方向に角度調整可能な吹出ルーバーと、空気中の粉塵の粒径を検出する埃センサーと、この埃センサーより出力される粉塵の粒径の大きさに応じて、前記吹出ルーバーを仰角方向に角度調整する制御部を有してなる空気清浄機。
【請求項２】
制御部は、埃センサーが大粒径の粉塵を検出したと判定する場合、吹出ルーバーの俯仰方向を前方斜め上方に向けて保持する請求項１記載の空気清浄機。
【請求項３】
制御部は、埃センサーが小粒径の粉塵を検出したと判定する場合、吹出ルーバーの俯仰方向を真上方向に向けて保持する請求項１記載の空気清浄機。
【請求項４】
制御部は、埃センサーが大粒径と小粒径の粉塵を検出したと判定する場合、吹出ルーバーを仰角方向に往復回動するように制御する請求項１記載の空気清浄機。
【請求項５】
室内空気を吸気する吸込口は、本体前面下部に設けた第１の吸込口と、この第１の吸込口より上部に設けた第二の吸込口からなり、前記第１の吸込口に開閉可能な吸込蓋部を設け、制御部は判定した粉塵の粒径に応じて、前記吸込蓋部により第１吸込口を開閉制御してなる請求項１記載の空気清浄機。
【請求項６】
制御部は、埃センサーが大粒径の粉塵を検出したと判定する場合、または大粒径と小粒径の粉塵を検出したと判定する場合は、吸込蓋部により第１の吸込口を開放してなる請求項５の空気清浄機。
【請求項７】
制御部は、埃センサーが小粒径の粉塵を検出したと判定する場合は、吸込蓋部により第１の吸込口を閉鎖してなる請求項５記載の空気清浄機。
【請求項８】
空気中のガス濃度を検出するガスセンサーを有し、制御部は前記ガスセンサーの検出値に応じて、吹出口に設けた吹出ルーバーを仰角方向に角度調整してなる請求項１記載の空気清浄機。
【請求項９】
空気中のガス濃度を検出するガスセンサーを有し、制御部は前記ガスセンサーの検出値および埃センサーの検出値に応じて、吹出口に設けた吹出ルーバーを仰角方向に角度調整するとともに、第１の吸込口に設けた吸込蓋部を開閉制御してなる請求項５記載の空気清浄機。
【請求項１０】
制御部は、埃センサーが大粒径の粉塵を検出したと判定し、かつガスセンサーで検出されたガス濃度が汚染ガス基準値以上である場合は、吹出口に設けた吹出ルーバーを往復回動するとともに、吸込蓋部により第１の吸込口を開口してなる請求項９記載の空気清浄機。
【請求項１１】
制御部は、埃センサーが粉塵を検出していないと判定し、かつガスセンサーで検出されたガス濃度が汚染ガス基準値以上である場合は、吹出口に設けた吹出ルーバーを真上方向に設定するとともに、吸込蓋部により第１の吸込口を閉鎖してなる請求項９記載の空気清浄機。
【請求項１２】
制御部は、埃センサーが粉塵を検出していないと判定し、かつガスセンサーで検出されたガス濃度が汚染ガス基準値未満である場合は、吹出口に設けた吹出ルーバーを往復回動するとともに、吸込蓋部により第１の吸込口を開口してなる請求項９記載の空気清浄機。
【発明の詳細な説明】
【技術分野】
【０００１】
本発明は、室内空気の汚れを検知し、検知結果に応じて気流をルーバーを用いて制御する空気清浄機に関する。
【背景技術】
【０００２】
従来、この種の空気清浄機は、室内空気の汚れを検知し、検知結果に応じて吹出口に設けた吹出しルーバーを汚れ度合いに応じて自動で制御し空気を清浄するものが知られている。
【０００３】
以下その空気清浄機について図４および図５を参照しながら説明する。
【０００４】
図４に示すように、吹出口１０１に設けた可動ルーバー１０２を前後もしくは左右に自動でスイングさせて室内の気流を変化させながら、センサーで粉塵や臭気の検知を行うことで、室内の空気の汚れをすばやく探し、一定量以上の空気の汚れを検知した位置で可動ルーバー１０２を停止させて、室内の最適気流を作り清浄運転を行うように構成されている（例えば、特許文献１参照）。
【０００５】
また、図５に示すように、吸込み空気の汚れを汚れセンサー１０３で検知し、この検知結果から室内空気の汚染源を推定し、この推定結果に応じて吹出口１０４のルーバ１０５により室内への吹出し風向を変更するとともに、ファン１０６を回転制御して吹出し風量を調整するように構成されている（例えば、特許文献２参照）。
【特許文献１】特開２００６−５７９１９号公報
【特許文献２】特開２０００−１３０８２７号公報
【発明の開示】
【発明が解決しようとする課題】
【０００６】
このような従来の空気清浄機は、特許文献１に示されるものでは、センサーで汚れを検知した時点で、スイングしている可動ルーバーの角度を固定するが、吸い込んだ気流の汚れを検知した時点と、その気流が本体から吹き出した時点では、気流が室内を移動して本体に吸込まれるまでのタイムラグがあるため、汚れを検知した時点で吹出しルーバーの角度を固定しても、必ずしもルーバーが汚れの発生源の方向を向いているとは限らないという課題があり、汚染源の位置に係らず、効果的に気流を制御することが要求されている。
【０００７】
また、特許文献２に示されるものでは、検出される汚れピーク値や汚染強度の低下に基づいて汚れ発生源の位置を推定し、風向および風量を変化させているが、粉塵の粒子径の大きさが考慮されていないため、大粒径の粉塵の汚れに対しては十分に吸い込めずに床面に沈降し、また小粒径の粉塵や臭気に対しては、逆に拡散することがあるという課題があり、室内に分散した大小の粒径の大きさに対応できるとともに、臭気が混在する場合でも、室内を確実に清浄化することが要求されている。
【０００８】
本発明は、このような従来の課題を解決するものであり、粉塵の粒径の大きさや臭気に適した気流を生成し、循環気流によって粉塵および臭気を効率よく除去できる空気清浄機を提供することを目的としている。
【課題を解決するための手段】
【０００９】
本発明の空気清浄機は上記目的を達成するために、室内空気を吸気する吸込口と、この吸込口から吸気した空気を清浄化する清浄化手段と、この清浄化手段に通風する送風手段と、本体天面に設けた清浄された空気を室内に吹出すための吹出口と、この吹出口に設けた仰角方向に角度調整可能な吹出ルーバーと、空気中の粉塵の粒径を検出する埃センサーと、この埃センサーより出力される粉塵の粒径の大きさに応じて、前記吹出ルーバーを仰角方向に角度調整する制御部を有するものである。
【００１０】
これにより粉塵の粒径に適した気流を吹出ルーバーによる吹出方向の制御により形成することで、粉塵に気流が効率的に到達し、循環気流によって本体に吸引し除去できる空気清浄機が得られる。
【００１１】
また他の手段は、制御部は、埃センサーが大粒径の粉塵を検出したと判定する場合、吹出ルーバーの俯仰方向を前方斜め上方に向けて保持するようにしたものである。
【００１２】
この手段により大粒径の粉塵を検出したと判定する場合、吹出ルーバーにより低域空間空気を循環する気流を形成することで、低域空間に浮遊する粒径の大きい粉塵に気流が効率的に到達し、循環気流によって本体に吸引し除去できる空気清浄機が得られる。
【００１３】
また他の手段は、制御部は、埃センサーが小粒径の粉塵を検出したと判定する場合、吹出ルーバーの俯仰方向を真上方向に向けて保持するようにしたものである。
【００１４】
この手段により小粒径の粉塵を検出したと判定する場合、吹出ルーバーにより高域空間空気を循環する気流を形成することで、高域空間に浮遊する粒径の小さい粉塵に気流が効率的に到達し、循環気流によって本体に吸引し除去できる空気清浄機が得られる。
【００１５】
また他の手段は、制御部は、埃センサーが大粒径と小粒径の粉塵を検出したと判定する場合、吹出ルーバーを仰角方向に往復回動するように制御するようにしたものである。
【００１６】
この手段により大粒径と小粒径の粉塵を検出したと判定する場合、吹出ルーバーにより高域空間を循環する気流と低域空間を循環する気流を交互に形成することで、高域空間に浮遊する粒径の小さい粉塵と低域空間に浮遊する粒径の大きい粉塵に気流が効率的に到達し、循環気流によって本体に吸引し除去できる空気清浄機が得られる。
【００１７】
また他の手段は、室内空気を吸気する吸込口は、本体前面下部に設けた第１の吸込口と、この第１の吸込口より上部に設けた第二の吸込口からなり、前記第１の吸込口に開閉可能な吸込蓋部を設け、制御部は判定した粉塵の粒径に応じて、前記吸込蓋部により第１吸込口を開閉制御するものである。
【００１８】
この手段により粉塵の粒径に適した気流を吹出ルーバーによる吹出方向および吸込蓋部による吸込方向の制御により形成することで、粉塵に気流が効率的に到達し、循環気流によって本体に吸引し除去できる空気清浄機が得られる。
【００１９】
また他の手段は、制御部は、埃センサーが大粒径の粉塵を検出したと判定する場合、および大粒径と小粒径の粉塵を検出したと判定する場合は、吸込蓋部により第１の吸込口を開放するようにしたものである。
【００２０】
この手段により大粒径の粉塵を検出したと判定する場合、および  大粒径および小粒径の両方の粉塵を検出したと判定する場合、吹出ルーバーおよび吸込蓋部により高域空間を循環する気流と低域空間を循環する気流を交互に形成することで、高域空間に浮遊する粒径の小さい粉塵と低域空間に浮遊する粒径の大きい粉塵に気流が効率的に到達し、循環気流によって本体に吸引し除去できる空気清浄機が得られる。
【００２１】
また他の手段は、制御部は、埃センサーが小粒径の粉塵を検出したと判定する場合、吸込蓋部により第１の吸込口を閉鎖するようにしたものである。
【００２２】
この手段により小粒径の粉塵を検出したと判定する場合、吹出ルーバーおよび吸込蓋部により低域空間空気を循環する気流を形成することで、高域空間に浮遊する粒径の小さい粉塵に気流が効率的に到達し、循環気流によって本体に吸引し除去できる空気清浄機が得られる。
【００２３】
また他の手段は、空気中のガス濃度を検出するガスセンサーを有し、制御部は前記ガスセンサーの検出値に応じて、吹出口に設けた吹出ルーバーを仰角方向に角度調整するようにしたものである。
【００２４】
この手段により粉塵の粒径および臭気に適した気流を吹出ルーバーにより制御することで、粉塵、臭気に気流が効率的に到達し、循環気流によって本体に吸引し除去できる空気清浄機が得られる。
【００２５】
また他の手段は、空気中のガス濃度を検出するガスセンサーを有し、制御部は前記ガスセンサーの検出値および埃センサーより出力される粉塵の粒径の大きさに応じて、吹出口に設けた吹出ルーバーを仰角方向に角度調整するとともに、第１の吸込口に設けた吸込蓋部を開閉制御するようにしたものである。
【００２６】
この手段により粉塵の粒径および臭気に適した気流を吹出ルーバーおよび吸込蓋部により制御することで、粉塵、臭気に気流が効率的に到達し、循環気流によって本体に吸引し除去できる空気清浄機が得られる。
【００２７】
また他の手段は、制御部は、埃センサーが大粒径の粉塵を検出したと判定する場合であり、かつガスセンサーで検出されたガス濃度が汚染ガス基準値以上である場合、吹出口に設けた吹出ルーバーを往復回動するとともに、吸込蓋部により第１の吸込口を開口するようにしたものである。
【００２８】
この手段により埃センサーが大粒径の粉塵を検出したと判定する場合であり、かつガスセンサーで検出されたガス濃度が汚染ガス基準値以上である場合、吹出ルーバーおよび吸込蓋部により高域空間を循環する気流と低域空間を循環する気流を交互に形成することで、高域空間に浮遊する臭気、粒径の小さい粉塵と低域空間に浮遊する粒径の大きい粉塵に気流が効率的に到達し、循環気流によって本体に吸引し除去できる空気清浄機が得られる。
【００２９】
また他の手段は、制御部は、埃センサーが粉塵を検出していないと判定し、かつガスセンサーで検出されたガス濃度が汚染ガス基準値以上である場合、吹出口に設けた吹出ルーバーを真上方向に設定するとともに、吸込蓋部により第１の吸込口を閉鎖するようにしたものである。
【００３０】
この手段により埃センサーが粉塵を検出していないと判定し、かつガスセンサーで検出されたガス濃度が汚染ガス基準値以上である場合、吹出ルーバーおよび吸込蓋部により高域空間を循環する気流を形成することで、高域空間に浮遊する臭気を効率よく吸引し除去できる空気清浄機が得られる。
【００３１】
また他の手段は、制御部は、埃センサーが粉塵を検出していないと判定し、かつガスセンサーで検出されたガス濃度が汚染ガス基準値未満である場合、吹出口に設けた吹出ルーバーを往復回動するとともに、吸込蓋部により第１の吸込口を開口するようにしたものである。
【００３２】
この手段により埃センサーが粉塵を検出していないと判定し、かつガスセンサーで検出されたガス濃度が汚染ガス基準値未満である場合、吹出ルーバーおよび吸込蓋部により高域空間を循環する気流と低域空間を循環する気流を交互に形成することで、高域空間に浮遊する臭気、粒径の小さい粉塵と低域空間に浮遊する粒径の大きい粉塵を効率的に検知できる空気清浄機が得られる。
【発明の効果】
【００３３】
本発明によれば、粉塵の粒径に適した気流を吹出ルーバーによる吹出方向の制御により形成することで、粉塵に気流が効率的に到達し、循環気流によって本体に吸引し除去できる効果のある空気清浄機を提供できる。
【００３４】
また、大粒径の粉塵を検出したと判定する場合、吹出ルーバーにより低域空間空気を循環する気流を形成することで、低域空間に浮遊する粒径の大きい粉塵に気流が効率的に到達し、循環気流によって本体に吸引し除去できる効果のある空気清浄機を提供できる。
【００３５】
また、小粒径の粉塵を検出したと判定する場合、吹出ルーバーにより高域空間空気を循環する気流を形成することで、高域空間に浮遊する粒径の小さい粉塵に気流が効率的に到達し、循環気流によって本体に吸引し除去できる効果のある空気清浄機を提供できる。
【００３６】
また、大粒径と小粒径の粉塵を検出したと判定する場合、吹出ルーバーにより高域空間を循環する気流と低域空間を循環する気流を交互に形成することで、高域空間に浮遊する粒径の小さい粉塵と低域空間に浮遊する粒径の大きい粉塵に気流が効率的に到達し、循環気流によって本体に吸引し除去できる効果のある空気清浄機を提供できる。
【００３７】
また、粉塵の粒径に適した気流を吹出ルーバーによる吹出方向および吸込蓋部による吸込方向の制御により形成することで、粉塵に気流が効率的に到達し、循環気流によって本体に吸引し除去できる効果のある空気清浄機を提供できる。
【００３８】
また、大粒径の粉塵を検出したと判定する場合、および  大粒径および小粒径の両方の粉塵を検出したと判定する場合、吹出ルーバーおよび吸込蓋部により高域空間を循環する気流と低域空間を循環する気流を交互に形成することで、高域空間に浮遊する粒径の小さい粉塵と低域空間に浮遊する粒径の大きい粉塵に気流が効率的に到達し、循環気流によって本体に吸引し除去できる。
【００３９】
また、小粒径の粉塵を検出したと判定する場合、吹出ルーバーおよび吸込蓋部により低域空間空気を循環する気流を形成することで、高域空間に浮遊する粒径の小さい粉塵に気流が効率的に到達し、循環気流によって本体に吸引し除去できる。
【００４０】
また、粉塵の粒径および臭気に適した気流を吹出ルーバーにより制御することで、粉塵、臭気に気流が効率的に到達し、循環気流によって本体に吸引し除去できる効果のある空気清浄機を提供できる。
【００４１】
また、粉塵の粒径および臭気に適した気流を吹出ルーバーおよび吸込蓋部により制御することで、粉塵、臭気に気流が効率的に到達し、循環気流によって本体に吸引し除去できる効果のある空気清浄機を提供できる。
【００４２】
また、埃センサーが大粒径の粉塵を検出したと判定する場合であり、かつガスセンサーで検出されたガス濃度が汚染ガス基準値以上である場合、吹出ルーバーおよび吸込蓋部により高域空間を循環する気流と低域空間を循環する気流を交互に形成することで、高域空間に浮遊する臭気、粒径の小さい粉塵と低域空間に浮遊する粒径の大きい粉塵に気流が効率的に到達し、循環気流によって本体に吸引し除去できる効果のある空気清浄機を提供できる。
【００４３】
また、埃センサーが粉塵を検出していないと判定し、かつガスセンサーで検出されたガス濃度が汚染ガス基準値以上である場合、吹出ルーバーおよび吸込蓋部により高域空間を循環する気流を形成することで、高域空間に浮遊する臭気を効率よく吸引し除去できる効果のある空気清浄機を提供できる。
【００４４】
また、埃センサーが粉塵を検出していないと判定し、かつガスセンサーで検出されたガス濃度が汚染ガス基準値未満である場合、吹出ルーバーおよび吸込蓋部により高域空間を循環する気流と低域空間を循環する気流を交互に形成することで、高域空間に浮遊する臭気、粒径の小さい粉塵と低域空間に浮遊する粒径の大きい粉塵を効率的に検知できる効果のある空気清浄機を提供できる。
【発明を実施するための最良の形態】
【００４５】
本発明の請求項１記載の発明は、室内空気を吸気する吸込口と、この吸込口から吸気した空気を清浄化する清浄化手段と、この清浄化手段に通風する送風手段と、本体天面に設けた清浄された空気を室内に吹出すための吹出口と、この吹出口に設けた仰角方向に角度調整可能な吹出ルーバーと、空気中の粉塵の粒径を検出する埃センサーと、この埃センサーより出力される粉塵の粒径の大きさに応じて、前記吹出ルーバーを仰角方向に角度調整する制御部を有するものであり、粉塵の粒径に適した気流を吹出ルーバーによる吹出方向の制御により形成することで、粉塵に気流が効率的に到達し、循環気流によって本体に吸引し除去できるという作用を有する。
【００４６】
また、制御部は、埃センサーが大粒径の粉塵を検出したと判定する場合、吹出ルーバーの俯仰方向を前方斜め上方に向けて保持するようにしたものであり、大粒径の粉塵を検出したと判定する場合、吹出ルーバーにより低域空間空気を循環する気流を形成することで、低域空間に浮遊する粒径の大きい粉塵に気流が効率的に到達し、循環気流によって本体に吸引し除去できるという作用を有する。
【００４７】
また、制御部は、埃センサーが小粒径の粉塵を検出したと判定する場合、吹出ルーバーの俯仰方向を真上方向に向けて保持するようにしたものであり、小粒径の粉塵を検出したと判定する場合、吹出ルーバーにより高域空間空気を循環する気流を形成することで、高域空間に浮遊する粒径の小さい粉塵に気流が効率的に到達し、循環気流によって本体に吸引し除去できるという作用を有する。
【００４８】
また、制御部は、埃センサーが大粒径と小粒径の粉塵を検出したと判定する場合、吹出ルーバーを仰角方向に往復回動するように制御するようにしたものであり、大粒径と小粒径の粉塵を検出したと判定する場合、吹出ルーバーにより高域空間を循環する気流と低域空間を循環する気流を交互に形成することで、高域空間に浮遊する粒径の小さい粉塵と低域空間に浮遊する粒径の大きい粉塵に気流が効率的に到達し、循環気流によって本体に吸引し除去できるという作用を有する。
【００４９】
また、室内空気を吸気する吸込口は、本体前面下部に設けた第１の吸込口と、この第１の吸込口より上部に設けた第二の吸込口からなり、前記第１の吸込口に開閉可能な吸込蓋部を設け、制御部は判定した粉塵の粒径に応じて、前記吸込蓋部により第１吸込口を開閉制御するものであり、粉塵の粒径に適した気流を吹出ルーバーによる吹出方向および吸込蓋部による吸込方向の制御により形成することで、粉塵に気流が効率的に到達し、循環気流によって本体に吸引し除去できるという作用を有する。
【００５０】
また、制御部は、埃センサーが大粒径の粉塵を検出したと判定する場合、および大粒径と小粒径の粉塵を検出したと判定する場合は、吸込蓋部により第１の吸込口を開放するようにしたものであり、大粒径の粉塵を検出したと判定する場合、および  大粒径および小粒径の両方の粉塵を検出したと判定する場合、吹出ルーバーおよび吸込蓋部により高域空間を循環する気流と低域空間を循環する気流を交互に形成することで、高域空間に浮遊する粒径の小さい粉塵と低域空間に浮遊する粒径の大きい粉塵に気流が効率的に到達し、循環気流によって本体に吸引し除去できるという作用を有する。
【００５１】
また、制御部は、埃センサーが小粒径の粉塵を検出したと判定する場合、吸込蓋部により第１の吸込口を閉鎖するようにしたものであり、小粒径の粉塵を検出したと判定する場合、吹出ルーバーおよび吸込蓋部により低域空間空気を循環する気流を形成することで、高域空間に浮遊する粒径の小さい粉塵に気流が効率的に到達し、循環気流によって本体に吸引し除去できるという作用を有する。
【００５２】
また、空気中のガス濃度を検出するガスセンサーを有し、制御部は前記ガスセンサーの検出値に応じて、吹出口に設けた吹出ルーバーを仰角方向に角度調整するようにしたものであり、粉塵の粒径および臭気に適した気流を吹出ルーバーにより制御することで、粉塵、臭気に気流が効率的に到達し、循環気流によって本体に吸引し除去できるという作用を有する。
【００５３】
また、空気中のガス濃度を検出するガスセンサーを有し、制御部は前記ガスセンサーの検出値および埃センサーより出力される粉塵の粒径の大きさに応じて、吹出口に設けた吹出ルーバーを仰角方向に角度調整するとともに、第１の吸込口に設けた吸込蓋部を開閉制御するようにしたものであり、粉塵の粒径および臭気に適した気流を吹出ルーバーおよび吸込蓋部により制御することで、粉塵、臭気に気流が効率的に到達し、循環気流によって本体に吸引し除去できるという作用を有する。
【００５４】
また、制御部は、埃センサーが大粒径の粉塵を検出したと判定する場合であり、かつガスセンサーで検出されたガス濃度が汚染ガス基準値以上である場合、吹出口に設けた吹出ルーバーを往復回動するとともに、吸込蓋部により第１の吸込口を開口するようにしたものであり、埃センサーが大粒径の粉塵を検出したと判定する場合であり、かつガスセンサーで検出されたガス濃度が汚染ガス基準値以上である場合、吹出ルーバーおよび吸込蓋部により高域空間を循環する気流と低域空間を循環する気流を交互に形成することで、高域空間に浮遊する臭気、粒径の小さい粉塵と低域空間に浮遊する粒径の大きい粉塵に気流が効率的に到達し、循環気流によって本体に吸引し除去できるという作用を有する。
【００５５】
また、制御部は、埃センサーが粉塵を検出していないと判定し、かつガスセンサーで検出されたガス濃度が汚染ガス基準値以上である場合、吹出口に設けた吹出ルーバーを真上方向に設定するとともに、吸込蓋部により第１の吸込口を閉鎖するようにしたものであり、埃センサーが粉塵を検出していないと判定し、かつガスセンサーで検出されたガス濃度が汚染ガス基準値以上である場合、吹出ルーバーおよび吸込蓋部により高域空間を循環する気流を形成することで、高域空間に浮遊する臭気を効率よく吸引し除去できるという作用を有する。
【００５６】
また、制御部は、埃センサーが粉塵を検出していないと判定し、かつガスセンサーで検出されたガス濃度が汚染ガス基準値未満である場合、吹出口に設けた吹出ルーバーを往復回動するとともに、吸込蓋部により第１の吸込口を開口するようにしたものであり、埃センサーが粉塵を検出していないと判定し、かつガスセンサーで検出されたガス濃度が汚染ガス基準値未満である場合、吹出ルーバーおよび吸込蓋部により高域空間を循環する気流と低域空間を循環する気流を交互に形成することで、高域空間に浮遊する臭気、粒径の小さい粉塵と低域空間に浮遊する粒径の大きい粉塵を効率的に検知できるという作用を有する。
【００５７】
以下、本発明の実施の形態について図面を参照しながら説明する。
【００５８】
（実施の形態１）
図１は、本実施の形態１における空気清浄機の構成図を示す。
【００５９】
図１に示すように、空気清浄機の本体１は略箱形に形成し、本体１の前面または側面に室内空気を吸気する吸込口２と、本体１の天面に吹出ルーバー６を備えた吹出口５を設け、吹出ルーバー６を仰角方向に角度調整する吹出ルーバー用駆動部１１を設けている。
【００６０】
本体１内に空気清浄化手段としてのフィルター３と、このフィルター３に通風する送風手段としてのファンモータ４を備え、ファンモータ４の駆動により吸込口２から吸い込まれた空気が、フィルター３を通って清浄され、吹出口５から吹出される。
【００６１】
また本体１には空気中の粉塵の粒径と濃度を検出する埃センサー７を設け、制御部８は埃センサー７の検出値に対応して、吹出ルーバー用駆動部１１を駆動制御することにより、吹出ルーバー６を仰角方向に角度調整している。
【００６２】
埃センサー７は検出する粉塵の粒径の大きさが１．０μｍを超えた場合と２．５μｍを超えた場合に、各々異なる出力値を制御部８に伝達する。たとえば、検出した粉塵の粒径が２．５μｍ以上の場合は、１．０μｍを超えた場合の出力値と２．５μｍを超えた場合の出力値の２種類の出力値が出力される。このとき、一定のサンプリング時間内の出力頻度がそれぞれ基準以上のとき、制御部８は大粒径と小粒径の粉塵を検出したと判別する。
【００６３】
それに対して、１．０μｍ〜２．５μｍの出力値の出現頻度が基準未満のときは、制御部８は大粒径の粉塵を検出したと判別する。
【００６４】
また検出した粉塵の粒径が１．０μｍ以上２．５μｍ未満の場合は、１．０μｍを超えた場合の出力値のみが出力される。このとき、一定のサンプリング時間内の出力頻度が基準以上のときは、制御部８は小粒径の粉塵を検出したと判別する。
【００６５】
検出した粉塵の粒径が１．０μｍ未満の場合は、ノイズを避けるため出力値を出力しない。このとき、制御部８は、粉塵を検出していないと判別する。
【００６６】
なおサンプリング時間と出力頻度の基準値は、大粒径の場合と小粒径の場合で異なる値としている。
【００６７】
図３に示すように、室内空間において、粒径の大きいダニの糞や死がい、花粉、埃等の粉塵は沈降しやすく室内の低域空間に多く分布し、粒径の小さいタバコの煙、ウイルス等や臭気は浮遊しやすく、室内の高域空間に多く分布することが知られている。
【００６８】
上記構成において、空気清浄機の本体１を運転中に、制御部８は埃センサー７が大粒径の粉塵を検出したと判定すると、吹出ルーバー用駆動部１１を駆動して吹出ルーバー６の俯仰方向を前方斜め上方に回動し、仰角が約６５度で保持する。これにより、吹出口５から吹出す空気が、室内の相対的に低域空間を循環する気流を形成するので、室内の低域空間に多く分布し浮遊する粒径の大きいダニの糞や死がい、花粉、埃等の粉塵を巻き込みながら、気流が本体１の前面または側面に到達し、このように形成した循環気流が本体１の吸込口２に吸引されて、フィルター３で粒径大なる汚染空気を清浄化することができる。
【００６９】
また、制御部８は埃センサー７が小粒径の粉塵を検出したと判定すると、吹出ルーバー用駆動部１１により、吹出ルーバー６の俯仰方向を真上方向まで回動し保持する。これにより、吹出口５から吹出す空気が、室内の相対的に高域空間空気を循環する気流を形成するので、室内の高域空間に多く分布し浮遊する粒径の小さいタバコの煙、ウイルス等の粉塵を巻き込みながら、気流が本体１の前面または側面に到達し、このように形成した循環気流が本体１の吸込口２に吸引されて、フィルター３で粒径小なる汚染空気を清浄化することができる。
【００７０】
また、制御部８は埃センサー７が大粒径と小粒径の２種類の粉塵を検出したと判定すると、吹出ルーバー用駆動部１１により、吹出ルーバー６の俯仰方向を真上方向と仰角が約６５度の間を往復回動する。これにより、吹出口５から吹出す空気が室内の高域空間を循環する気流と低域空間を循環する気流を交互に形成するので、室内の高域空間に多く分布し浮遊する粒径の小さい粉塵等と、室内の低域空間に多く分布し浮遊する粒径の大きい粉塵等とが混在する２つの空間を通過するときに、大小の粒径の粉塵をともに巻き込みながら、このように形成した循環気流が本体１の吸込口２に吸引されて、フィルター３で汚染空気を清浄化することができる。
【００７１】
（実施の形態２）
本実施の形態の以降では、先の実施の形態で記載したものと同一構成のものは同一記号を付し、詳細な説明は省略する。
【００７２】
図１に示すように、空気清浄機の本体１の吸込口２は、本体１の前面下部に設けた第一の吸込口２ａと、この第一の吸込口２ａより上部位置に設けた第二の吸込口２ｂからなり、第一の吸込口２ａには開閉可能な吸込蓋部９と、吸込蓋部９を開閉する吸込蓋部用駆動部１２を備えている。なお本実施の形態では、第二の吸込口２ｂは本体１の側面に形成されている。
【００７３】
また、本体１内には空気中の粉塵の粒径を検出する埃センサー７を設け、制御部８は埃センサー７の検出値に対応して、吸込蓋部用駆動部１２の駆動により吸込蓋部９を動かして第一の吸込口２ａを開閉可能に制御している。
【００７４】
上記構成において、本体１を運転中に制御部８は埃センサー７が大粒径の粉塵を検出したと判定すると、吹出ルーバー６を吹出ルーバー用駆動部１１により俯仰方向を前方斜め上方に仰角が約６５度まで回動し保持する。同時に、吸込蓋部用駆動部１２により吸込蓋部９を駆動して第一の吸込口２ａを開口する。これにより、吹出口５から室内の低域空間に清浄空気が吹出され、粒径の大きい粉塵を本体１の吸込口２に案内し、床面に近い第一の吸込口２ａが開口しているので、第一の吸込口２ａからの吸込風量が増加することで、粒径の大きい粉塵を第一の吸込口２ａから主体的に吸引することができ、フィルター３で清浄化することができる。
【００７５】
また、制御部８は埃センサー７が小粒径の粉塵を検出したと判定すると、吹出ルーバー用駆動部１１により吹出ルーバー６を俯仰方向を真上方向まで回動して保持する。同時に吸込蓋部用駆動部１２により吸込蓋部９を動かして第一の吸込口２ａを閉鎖する。これにより、吹出口５から真上方向に吹出す空気が、室内の高域空間を通過して、粒径の小さい粉塵を本体１の吸込口２に案内し、第一の吸込口２ａが閉鎖されているので、第二の吸込口２ｂからの吸込風量を増加することで、粒径の小さい粉塵を第一の吸込口２ａから主体的に吸引することができ、フィルター３で清浄化することができる。
【００７６】
また、制御部８は埃センサー７が大粒径と小粒径の２種類の粉塵を検出したと判定すると、吹出ルーバー用駆動部１１により、吹出ルーバー６の俯仰方向を、真上方向と仰角が約６５度の間を往復回動するように制御する。同時に吸込蓋部用駆動部１２を駆動して、吸込蓋部９が第一の吸込口２ａを開口する。これにより、吹出口５から清浄空気が室内の低域空間と高域空間に吹出され、大小の粒径の粉塵がともに循環気流に運ばれて、本体１の２箇所の第一の吸込口２ａ、第二の吸込口２ｂから効率よく吸引され、フィルター３で清浄化することができる。
【００７７】
（実施の形態３）
図１に示すように、本体１内には空気中の粉塵の粒径と濃度を検出する埃センサー７と、空気中のタバコ臭などのガス濃度を検出するガスセンサー１０を設けている。
【００７８】
制御部は、ガスセンサー１０で検出した空気中の臭気成分となるガス濃度が基準値以上のときは、埃センサー７の検出値とあわせた両方の検出値に対応して、吹出ルーバー６の吹出し方向を制御する構成としている。
【００７９】
図３に示すように、室内空間において、タバコ臭や室内に漂う臭気は、花粉などの粉塵に比べて浮遊しやすく、室内の高域空間に多く分布することが知られている。
【００８０】
上記構成において、制御部８は埃センサー７が大粒径の粉塵を検出したと判定し、かつガスセンサーで検出されたガス濃度が汚染ガス基準値以上である場合は、吹出ルーバー用駆動部１１により吹出ルーバー６を俯仰方向が真上方向と仰角が約６５度の間を往復回動するように制御する。これにより、吹出口５から清浄空気が室内の高域空間と低域空間に吹き出され、循環気流によって大粒径の粉塵を効率的に吸込口２の案内するだけでなく、室内の高域空間に浮遊する臭気成分をも吸込口２の案内することができ、粉塵と臭気の混在する室内環境においても、粉塵の種類と臭気の濃度に合わせた循環気流を形成して、効率よく吸引してフィルター３で清浄化することができる。
【００８１】
また制御部８は埃センサー７が大粒径の粉塵を検出したと判定しても、ガスセンサーで検出されたガス濃度が汚染ガス基準値未満である場合は、埃センサー７のみの検出値の判定と同様に、吹出ルーバー６の吹き出し方向を仰角が約６５度に保持する。
【００８２】
制御部８は、埃センサー７が大粒径の粉塵を検出する以外の場合は、ガスセンサー１０で検出されたガス濃度に関わらず、実施の形態１で記載したものと同一の制御を行なうものである。
【００８３】
（実施の形態４）
図１に示すように、本体１内には空気中の粉塵の粒径を検出する埃センサー７と空気中のガス濃度を検出するガスセンサー１０を設けている。
【００８４】
制御部は、ガスセンサー１０で検出した検出値と、埃センサー７で検出した検出値との両方の検出値に対応して、吹出ルーバー６の吹出し方向と、第一の吸込口２ａに設けた開閉可能な吸込蓋部９をそれぞれ制御する構成としている。
【００８５】
上記構成において、本体１を運転中に、制御部８は埃センサー７が大粒径の粉塵を検出したと判定し、かつガスセンサー１０で検出されたガス濃度が汚染ガス基準値以上であると判定した場合は、吹出ルーバー６を吹出ルーバー用駆動部１１により俯仰方向を真上方向と仰角が約６５度の間を往復回動する。同時に吸込蓋部用駆動部１２により吸込蓋部９を動かして第一の吸込口２ａを開口する。これにより、吹出口５から清浄空気を吹出し、室内の高域空間と低域空間に混在する大小の粒径の粉塵と高域空間に浮遊する臭気を効率的に本体１の２箇所の第一の吸込口２ａ、第二の吸込口２ｂに案内し、循環気流によって第一の吸込口２ａ、第二の吸込口２ｂから吸引された大小の粒径の粉塵と臭気をフィルター３で清浄化することができる。
【００８６】
また制御部８は埃センサー７が粉塵を検出していないと判定し、かつガスセンサー１０で検出されたガス濃度が汚染ガス基準値以上であると判定した場合は、吹出ルーバー用駆動部１１により回動し吹出ルーバー６の俯仰方向を真上方向で保持する。同時に吸込蓋部用駆動部１２により吸込蓋部９を動かして第一の吸込口２ａを閉鎖する。これにより、吹出口５から真上方向に吹出す空気が、室内の高域空間に浮遊する臭気に効率的に到達し、第一の吸込口２ａを閉鎖して、上部に設けた第二の吸込口２ｂからの吸込風量を増加することで、臭気成分を本体１に効率的に吸引しフィルター３で清浄化することができる。
【００８７】
また制御部８は埃センサー７が粉塵を検出していないと判定し、かつガスセンサー１０で検出されたガス濃度が汚染ガス基準値未満であると判定した場合は、吹出ルーバー６を俯仰方向が真上方向と仰角が約６５度の間を往復回動するように制御する。同時に吸込蓋部用駆動部１２により吸込蓋部９を動かして第一の吸込口２ａを開口する。これにより、吹出口５から吹出す空気が室内の高域空間を循環する気流と低域空間を循環する気流を交互に形成する。これによって、室内の空気をムラなく吸引し、室内の高域空間に多く分布し浮遊する臭気をガスセンサー１０に案内するとともに、室内の高域空間に多く分布する粒径の小さいタバコの煙、ウイルス等と、室内の低域空間に多く分布し浮遊する粒径の大きいダニの糞や死がい、花粉、埃等とが混在する粉塵を埃センサー７に案内することができ、汚染空気が発生したときに即座に検知することができる。
【００８８】
その他の場合は、ガスセンサー１０で検出されたガス濃度に関わらず、実施の形態２と同一の制御方法としている。
【図面の簡単な説明】
【００８９】
【図１】本発明の実施の形態１〜４の空気清浄機の一部破断の外観斜視図
【図２】同ブロック回路図
【図３】室内空気の浮遊粉塵および臭気分布の概念図
【図４】従来の空気清浄機を示す斜視図
【図５】従来の他の空気清浄機を示す斜視図
【符号の説明】
【００９０】
１    本体
２    吸込口
２ａ  第一の吸込口
２ｂ  第二の吸込口
３    フィルター
４    ファンモータ
５    吹出口
６    吹出ルーバー
７    埃センサー
８    制御部
９    吸込蓋部
１０  ガスセンサー
【図１】
2008194603.tif 000003
【図２】
2008194603.tif 000004
【図３】
2008194603.tif 000005
【図４】
2008194603.tif 000006
【図５】
2008194603.tif 000007